(57)【要約】【課題】  本発明は、シェルアセンブリとフットアセンブリとから成る取り換え可能な家具グライドを提供する。【解決手段】  取り外し可能な家具グライド（１０）は、シェルアセンブリ（１４）とフットアセンブリ（１２）とを含む。シェルアセンブリは従来の家具グライド（１６）を受ける上方部と、上方部から下方に伸びている下方部と、を有する。シェルアセンブリは複数の片に垂直方向に分けられる。フットアセンブリは、上部の取り付け部材と下部の床接触部材とを含む。シェルアセンブリの下方部は、フットアセンブリの取り付け部材の上方に伸びるキャビティの中に、シェルアセンブリの各片を、固定を解除できるように一緒に固定されるように受けられる。シェルアセンブリの各片は、シェルアセンブリの下方部をフットアセンブリの取り付け部材のキャビティから引き抜くことによりシェルアセンブリの各片の固定が解除するように分けられる。【選択図】  図３
2011167512.tif 000002
【特許請求の範囲】
【請求項１】
家具脚に取り付けられた従来の家具グライドを受けるように構成されるチャンバーを有する上方部と、前記上方部から下方に伸びる下方部とを含み、垂直に複数の片に分けられるシェルアセンブリと、
上部の取り付け部材と、前記取り付け部材に接続される下部の床接触部材とを含み、前記取り付け部材に上方に伸びるキャビティが形成されるフットアセンブリと、により構成され、
前記シェルアセンブリの下方部が、前記フットアセンブリの取り付け部材のキャビティの中に前記シェルアセンブリの各片の固定を解除できるようにして一緒に受けられ、
前記シェルアセンブリの各片は、前記フットアセンブリの取り付け部材のキャビティから前記シェルアセンブリの下方部を引き抜くことによって前記シェルアセンブリの各片の固定が解除するように分離される取り外し可能な家具グライド。
【請求項２】
前記シェルアセンブリの上方部は、前記家具脚又は前記従来の家具グライドの一部分を受けるように構成される開口部を有する請求項１に記載の取り外し可能な家具グライド。
【請求項３】
前記フットアセンブリの取り付け部材は、外部リングと中間床から上方に伸びる軸上のスリーブとを含み、前記外部リングの内壁と前記軸上のスリーブの外壁とにより、前記シェルアセンブリの下方部を受けるための前記キャビティが形成される請求項１に記載の取り外し可能な家具グライド。
【請求項４】
前記シェルアセンブリの下方部は円筒形の形状を有し、前記フットアセンブリの取り付け部材の外部リングと軸上のスリーブとが環状のキャビティを形成する請求項３に記載の取り外し可能な家具グライド。
【請求項５】
前記シェルアセンブリの下方部は、近接端部から遠位端部へ下方に突き出ており、
前記近接端部と前記遠位端部との中間に配置される突起部が前記シェルアセンブリの下方部の外側表面から横方向に外側に広がっている請求項３に記載の取り外し可能な家具グライド。
【請求項６】
前記シェルアセンブリの下方部は、前記近接端部から前記遠位端部へ伸びる管を有している請求項５に記載の取り外し可能な家具グライド。
【請求項７】
横方向に広がるシェルフが、前記シェルアセンブリの下方部の前記近接端部を前記シェルアセンブリの上方部に接続する請求項５に記載の取り外し可能な家具グライド。
【請求項８】
前記フットアセンブリの取り付け部材の外部リングの前記内壁が円周のスロットを有し、
前記シェルアセンブリの下方部の前記突起部が前記フットアセンブリの取り付け部材のスロットの中に前記シェルアセンブリの各片が固定を解除できるように固定されるように受けられる請求項５に記載の取り外し可能な家具グライド。
【請求項９】
前記シェルアセンブリの上方部の下方セグメントは下側表面を有し、
前記フットアセンブリの取り付け部材は上側表面を有し、
前記シェルアセンブリの上方部の下方セグメントの前記下側表面、又は前記フットアセンブリの取り付け部材の前記上側表面は、前記シェルアセンブリから前記フットアセンブリを離すための道具を受けるように構成されるスロットを有する請求項８に記載の取り外し可能な家具グライド。
【請求項１０】
前記フットアセンブリの取り付け部材のスリーブが、前記スリーブの上部表面から伸びる軸上の開口部を有し、
前記家具グライドが、さらに、前記開口部に置かれる圧縮可能な素材により形成されるバンパー部材を含む請求項３に記載の取り外し可能な家具グライド。
【請求項１１】
前記バンパー部材は、前記スリーブの上部表面を越えて上方へ突き出る頭部を有する請求項１０に記載の取り外し可能な家具グライド。
【請求項１２】
前記シェルアセンブリの各片は第１及び第２シェルハーフから成り、
前記第１シェルハーフは、前記第１シェルハーフの面から伸びる少なくとも１つのピンを含み、
前記第２シェルハーフは、前記第２シェルハーフの面から伸びる少なくとも１つの開口穴を有し、
前記第１シェルハーフのピンは前記第２シェルハーフの開口穴に受けられる請求項１に記載の取り外し可能な家具グライド。
【請求項１３】
前記各第１シェルハーフのピンは外径と外面とを有し、前記各第２シェルハーフの開口穴は内径と内面とを有し、
前記ピンの外径と前記開口穴の内径とは、前記ピンの前記外面が前記開口穴の内面に擦られるようにかみ合う請求項１２に記載の取り外し可能な家具グライド。
【請求項１４】
前記フットアセンブリの床接触部材は、接着剤又は溶接により前記フットアセンブリの取り付け部材に固定して接続される請求項１に記載の取り外し可能な家具グライド。
【請求項１５】
前記フットアセンブリの床接触部材は、前記床接触部材の内部側壁の円周のスロットに受けられ前記取り付け部材の外部側壁から外側に放射状に広がる突起部によって、前記フットアセンブリの取り付け部材に接続される請求項１４に記載の取り外し可能な家具グライド。
【請求項１６】
家具脚に取り付けられた従来の家具グライドを受けるように構成されるチャンバーを形成する上方部と、前記上方部から下方に伸びる下方部とを含み、前記上方部は、前記家具脚又は前記従来の家具グライドの一部分を受けるように構成された開口部を形成し、複数の片に垂直に分けられるシェルアセンブリと、
上部の取り付け部材と前記取り付け部材に接続される下部の床接触部材とを含み、前記取り付け部材に上方に伸びるキャビティが形成されるフットアセンブリと、により構成され、
前記シェルアセンブリの下方部が、前記フットアセンブリの取り付け部材のキャビティの中に前記シェルアセンブリの各片の固定を解除できるようにして一緒に受けられ、
前記シェルアセンブリの各片は、前記フットアセンブリの取り付け部材のキャビティから前記シェルアセンブリの下方部を引き抜くことによって前記シェルアセンブリの各片の固定が解除するように分けられる取り外し可能な家具グライド。
【請求項１７】
前記シェルアセンブリの下方部は円筒形の形状を有し、前記フットアセンブリの取り付け部材が外部リングと中間床から上方に伸びた軸上のスリーブとを有し、前記外部リングの内壁と前記軸上のスリーブの外壁とが前記シェルアセンブリの下方部を受けるための環状のキャビティを形成する請求項１６に記載の取り外し可能な家具グライド。
【請求項１８】
前記フットアセンブリの取り付け部材の外部リングの前記内壁は円周のスロットを形成し、前記シェルアセンブリの下方部が近接端部から遠位端部へ下方に突き出ており、前記近接端部と前記遠位端部との中間に配置される突起部が前記フットアセンブリの取り付け部材のスロットの中に前記シェルアセンブリの各片が固定を解除できるように固定されるように受けられる請求項１７に記載の取り外し可能な家具グライド。
【請求項１９】
前記シェルアセンブリの下方部の下方セグメントは下側表面を有し、前記フットアセンブリの取り付け部材は上側表面を有し、
前記シェルアセンブリの上方部の下方セグメントの前記下側表面、又は前記フットアセンブリの取り付け部材の前記上側表面が、前記シェルアセンブリから前記フットアセンブリを離すための道具を受けるように構成されるスロットを有する請求項１８に記載の取り外し可能な家具グライド。
【請求項２０】
前記フットアセンブリの取り付け部材のスリーブが、前記スリーブの上部表面から伸びる軸上の開口部を有し、
前記家具グライドが、さらに、前記開口部に置かれる圧縮可能な素材により形成されるバンパー部材を含み、前記バンパー部材は前記スリーブの上部表面を越えて上方へ突き出る頭部を有する請求項１７に記載の取り外し可能な家具グライド。
【請求項２１】
家具脚に取り付けられた従来の家具グライドを受けるように構成されるチャンバーを形成する上方部と、前記上方部から下方に伸びる下方部とを含むシェルアセンブリと、
上方の取り付け部材と前記取り付け部材に接続される下方の床接触部材とを含むフットアセンブリと、により構成され、
前記シェルアセンブリの下方部が円筒形の形状を有し、前記シェルアセンブリが第１及び第２ハーフに垂直に分けられ、前記取り付け部材が外部リングと中間床から上方に伸びる軸上のスリーブとを含み、前記外部リングの内壁と前記軸上のスリーブの外壁とが前記シェルアセンブリの下方部を受けるための環状のキャビティを形成し、前記シェルアセンブリの第１及び第２ハーフが固定を解除できるように一緒に固定され、前記シェルアセンブリの第１及び第２ハーフが前記シェルアセンブリの下方部を前記フットアセンブリの取り付け部材のキャビティから引き抜くことよって前記シェルアセンブリの第１及び第２ハーフの固定が解除するように分けられる取り外し可能な家具グライド。
【発明の詳細な説明】
【技術分野】
【０００１】
本発明は家具グライド、特に既存の家具グライドに取り付ける家具グライドに関する。
【０００２】
家具グライドは様々なスタイル及び構造で使用されるが、重要な目的は、家具脚とスライドする表面を形成する下方部とを受けるための上方部を提供することである。特許文献１（米国特許第５，９９１，９７４号）の「Ｓｗｉｖｅｌｌｉｎｇ  Ｆｕｒｎｉｔｕｒｅ  Ｇｌｉｄｅ」、特許文献２（米国特許第６，１５４，９２３号）の「Ｈｉｇｈ  Ｈｏｌｄ  Ｆｕｒｎｉｔｕｒｅ  Ｇｌｉｄｅ」、及び特許文献３（米国特許出願公開第２００２／００８８０８２号）では、次の３つの主要な構成要素を有するタイプの家具グライドを開示している。（１）底壁を含むフェルール、底壁から伸び家具脚を受けるためのソケットを形成する真っすぐな円筒形の側壁、そして受けられた家具脚をかみ合わせるためのソケットの中のクリップ手段。（２）フェルールの底壁に取り付けられスイベルで回転することができるグライドサポートシェル。（３）サポートシェルが取り付けられ、床に接触するための実質的に平坦なスライドする表面を有するグライドベース。
【０００３】
特許文献４（米国特許第６，４０５，９８２号）の「Ｓｅｌｆ  Ａｔｔａｃｈｉｎｇ  Ｓｌｉｄｉｎｇ  Ｓｕｐｐｏｒｔ  ｆｏｒ  Ａｒｔｉｃｌｅｓ  ｏｆ  Ｆｕｒｎｉｔｕｒｅ」は、フェルール又はスイベル機能ではなく、むしろ通常、カップ状から成り、脚をつかむための弾力性のある素材の１つの主部と、床に接触するための一体のスライド可能なベース素材とを有する他のタイプのグライドを開示している。
【０００４】
これらの又は他の知られた家具グライドでは、床に接触するためのスライドする表面は、家具グライドが置かれる表面のために特に選ばれた素材である。典型的なベース要素材料はスチール（通常、カーペットの床に用いられる）、ナイロン又はポリエチレンのような硬いプラスチック（通常は、タイル床、又はアスベストを含む古いビニールフローリング製品に用いられる）、又は柔らかいプラスチック（通常は、アスベストを含まないビニールフローリング製品、又は木の床に用いられる）を含む。柔らかいプラスチックにより構成されるスライドする表面はすり減りがちである。
【先行技術文献】
【特許文献】
【０００５】
【特許文献１】米国特許第５，９９１，９７４号
【特許文献２】米国特許第６，１５４，９２３号
【特許文献３】米国特許出願公開第２００２／００８８０８２号
【特許文献４】米国特許第６，４０５，９８２号
【特許文献５】米国特許第７，６１０，６５５号
【発明の概要】
【発明が解決しようとする課題】
【０００６】
伝統的に、家具グライドは、家具が異なる場所に動かされ、ベース要素材料がこの場所の床の使用に充てられない場合に取り替えられなければならない。同様に、柔らかいプラスチック又はフェルトにより構成されたスライドする表面を有する家具グライドは、スライドする表面が過度の磨耗を受けた時に取り換えられる。
【課題を解決するための手段】
【０００７】
シェルアセンブリとフットアセンブリとから成る取り換え可能な家具グライドが提供される。シェルアセンブリは、家具脚に取り付けられた従来の家具グライドを受けるように構成されるチャンバーを形成する上方部を含んでいる。下方部は、上方部から下方に伸びている。シェルアセンブリは複数の片に垂直に分けられる。フットアセンブリは、上部の取り付け部材と、取り付け部材に接続される下部の床接触部材とを含む。シェルアセンブリの下方部は、フットアセンブリの取り付け部材の上方に伸びるキャビティの中に、シェルアセンブリの各片の固定を解除できるようにして一緒に固定されて受けられる。シェルアセンブリの各片は、フットアセンブリの取り付け部材のキャビティからシェルアセンブリの下方部を引き抜くことによって、シェルアセンブリの各片の固定が解除するように分離される。
【０００８】
シェルアセンブリの上方部は、家具脚、又は従来の家具グライドの一部を受けるように構成される開口部を含む。
【０００９】
フットアセンブリの取り付け部材は、外部リングと、中間床から上方に伸びる軸上のスリーブと、外部リングの内壁と軸上のスリーブの外壁とにより形成されシェルアセンブリの下方部を受けるためのキャビティと、を含むことができる。シェルアセンブリの下方部は、実質的に円筒形の形状を有することができ、フットアセンブリの取り付け部材の外部リングと軸上のスリーブとは環状のキャビティを形成することができる。
【００１０】
シェルアセンブリの下方部は、近接端部から遠位端部に下方に突き出ており、近接端部と遠位端部との中間に配置されシェルアセンブリの下方部の外側表面から横方向に外側に広がる突起部を有することができる。この変化では、フットアセンブリの取り付け部材の外部リングの内壁が、シェルアセンブリの下方部の突起部をシェルアセンブリの各片の固定を解除できるようにして一緒に固定されて受ける円周のスロットを含む。
【００１１】
シェルアセンブリの上方部の下側表面、又はフットアセンブリの取り付け部材の上側表面は、シェルアセンブリからフットアセンブリを離すための道具を受けるように構成されるスロットを有することができる。
【００１２】
フットアセンブリの取り付け部材のスリーブは、スリーブの上側表面から伸びる軸上の開口部を含むことができる。開口部に配置され圧縮可能な素材により形成されるバンパー部材は、スリーブの上側表面を越えて上方に突き出ている頭部を有する。
【００１３】
フットアセンブリの床接触部材は、接着剤又は溶接によりフットアセンブリの取り付け部材に固定して接続される。フットアセンブリの床接触部材は、フットアセンブリの取り付け部材に、床接触部材の内部側壁の円周のスロットに受けられ取り付け部材の外部側壁から放射状に外側に広がる突起部により接続されることができる。
【００１４】
本開示は、添付図面を参照することにより多くの物と利点とが当業者に明らかになり、より良く理解される。
【図面の簡単な説明】
【００１５】
【図１】開示に基づいた家具グライドの透視図である。
【図２】従来の家具グライドに取り付けられた家具グライドを示した、図１の家具グライドの側面図である。
【図３】図２の線３−３に沿って得られる断面図である。
【図４】図１のシェルアセンブリの部分的に透視された側面図である。
【図５】図１のフットアセンブリの側面図である。
【図６】図４の第１シェルハーフの部分的に透視された側面図である。
【図７】図６の第１シェルハーフの正面図である。
【図８】図４の第２シェルハーフの部分的に透視された側面図である。
【図９】図８の第２シェルハーフの正面図である。
【図１０】図５の線１０−１０に沿って得られる断面図である。
【発明を実施するための形態】
【００１６】
図１−３に関して、開示に基づいた取り付け可能な家具グライド１０は、フットアセンブリ１２と、フットアセンブリ１２を家具脚に取り付けられた従来の家具グライド１６に取り付けるシェルアセンブリ１４と、を含む。
【００１７】
さらに図３及び図４に関して、シェルアセンブリ１４は、従来の家具グライド１６を受けるように構成されるチャンバー２０が形成される上方部１８を有する。図３に示された例では、従来の家具グライド１６は、通常、円錐台の形状を有する上部セグメント２２と、床の表面に接するための下部セグメント２４とを有している。シェルアセンブリの上方部のチャンバー２０は、確実にシェルアセンブリ１４を従来の家具グライド１６に設置し、シェルアセンブリ１４と従来の家具グライド１６との間の相対的な動作を制限する従来の家具グライド１６の形状に補完的な形状を有している。それに応じて、シェルアセンブリの上方部１８は、通常、上部の縮小部分２８を形成する円錐台の形状と外端３２を形成する下部の拡張部分３０とを有する上方セグメント２６を含むことができる。上部セグメント２６は、縮小部分２８に、従来の家具グライド１６の上端４０の外径３８に実質的に等しいか、又はよりも僅かに広い直径３６を有する実質的に円形の開口部３４が形成され、それによって従来の家具グライド１６の上端４０が開口部３４を通って広がる。下方セグメント４２は、通常、上部の拡張部分４４と下部の縮小部分４６を形成する逆さにされた円錐台の形状、又は円筒の形状とを有する。
【００１８】
円筒の下方部４８は、近接端部５０から遠位端部５２に縦方向に突き出ており、近接端部５０から遠位端部５２に伸びる管５４を形成している。横方向に広がるシェルフ５６は、下方部の近接端部５０を上方部１８に接続する。近接端部５０と遠位端部５２との間に配置される突起部５８は、下方部４８の外側表面６０から横方向に外側に広がる。
【００１９】
さらに図６−９に関して、シェルアセンブリ１４は、第１及び第２シェルハーフ６２、６４を含んでいる。第１シェルハーフ６２は、シェルハーフ面から伸びる複数のピン６６を含んでいる。第２シェルハーフ６４は、シェルハーフ面７２からシェルハーフ体７４の中に伸び、複数のピン６６に等しい又はそれよりも多い数の複数の開口穴７０を含んでいる。ピン６６と開口穴７０との直径は、シェルハーフ６２、６４が道具の使用なしで分離されるが、シェルハーフ６２、６４が一緒に取り付けられるときピン６６の表面７６が開口穴７０の表面７８に擦られるようにかみ合うように選択される。ピン６６は、第１シェルハーフ体８０に一体的に形成されることができる。
【００２０】
さらに図５及び図１０に関して、フットアセンブリ１２は、取り付け部材８２と、取り付け部材８２に固定されて接続される床接触部材８４とを含んでいる。床接触部材８４は、家具グライド１０が置かれる床によって選択される素材で構成される。例えば、床接触部材８４は、床にカーペットが敷かれるならば、スチールで構成されることができる。あるいは、床接触部材８４は、床が、木、又はアスベストを含まないビニールフローロング製品である場合に、柔らかいプラスチックのような比較的に柔らかい、又は／及び弾力性のある素材で構成されることができる。床接触部材８４が比較的に柔らかい、又は／及び弾力性のある素材で構成された例では、取り付け部材８２は機械的な支持を床接触部材８４に対して与える。床接触部材８４は、床接触部材の内側表面と取り付け部材の外側表面との間に配置される粘着性の層８６により、溶接又は他の方法によって取り付け部材８２に接続されることができる。床接触部材８４は、さらに、取り付け部材８２の外部側壁９０から外側に放射状に広がり、床接触部材８４の内部側壁９４に結合された円周のスロット９２に受けられる突起部８８によって、取り付け部材８２に接続されることができる。
【００２１】
図に示された例では、取り付け部材８２は実質的に円形の形状を有し、丸くされた外部表面９６を有する。同じように、例えば床接触部材８４は、取り付け部材の外部表面９６の形状に実質的に一致する形状を有している。外部リング９８及び軸上のスリーブ１００は、取り付け部材８２の中間床１０２から上方に伸びる。外部リングの内部側壁１０６の円周のスロット１０４は、以下に詳しく記述されるように、下方部の突起部５８を第１及び第２シェルハーフ６２、６４を一緒に固定するように受ける。スリーブ１００の上部表面１１０で始まる軸上の開口部１０８は、図３に示されるように、取り付け部材の外部表面９６に伸びるか、又は、スリーブの上部表面１１０と取り付け部材の外部表面９６との中間の位置で止まっていても良い。圧縮可能な素材により構成されるバンパー部材１１２は、スリーブの上部表面１１０を越えて上方に突き出るバンパー部材１１２のドーム形の頭部１１４と共に開口部１０８に配置される。パンパー部材の頭部１１４は、従来の家具グライド１６と取り外し可能な家具グライド１０との間のどんな動きも弱めるように取り外し可能な家具グライド１０が取り付けられる時に、取り付けられた従来の家具グライド１６の底面１１６に接触する。
【００２２】
取り外し可能な家具グライド１０は、取り付けられた従来の家具グライド１６を第１又は第２シェルハーフ６２、６４の一つに挿入し、次に、第１シェルハーフのピン６６が第２シェルハーフの開口穴７０に挿入するとともに他の第１又は第２シェルハーフ６２、６４に挿入することによって取り付けられる。ピン６６と開口穴７０との表面７６、７８の間の摩擦のかみ合いは、シェルアセンブリの下方部４８が外部リング９８とフットアセンブリの取り付け部材８２の内部のスリーブ１００との間のキャビティ１１８に挿入される間、シェルアセンブリ１４を維持する。取り外し可能な家具グライド１０は、シェルアセンブリの上方部１８（図１、２、３、および４）の下方セグメント４２の底面１２２に備えられたスロット１２０にスクリュードライバーの刃の先端又はより小さい道具を挿入し、そして、上方又は下方の面にスクリュードライバーの柄を当てることにより動かすことができる。それによって刃はキャビティ１１８の外にシェルアセンブリの下方部４８を押し出す。フットアセンブリ１２がシェルアセンブリ１４から動かされた後に、２つのシェルハーフ６２、６４を互いに引き離すことが、シェルハーフ６２、６４が分離されるようにピン６６と開口穴７０の表面７６、７８の間の摩擦のかみ合いに打ち勝つための十分な力を与える。
【００２３】
望ましい実施形態が示され説明されると同時に、様々な改良又は置き換えが発明の目的及び範囲から外れることなく作られることができる。それに応じて、本発明が実施例を手段として制限されることなく記述されることが理解される。
【図１】
2011167512.tif 000003
【図２】
2011167512.tif 000004
【図３】
2011167512.tif 000005
【図４】
2011167512.tif 000006
【図５】
2011167512.tif 000007
【図６】
2011167512.tif 000008
【図７】
2011167512.tif 000009
【図８】
2011167512.tif 000010
【図９】
2011167512.tif 000011
【図１０】
2011167512.tif 000012
【外国語明細書】
2011167512000001.pdf
2011167512000002.pdf
2011167512000003.pdf
2011167512000004.pdf